(57)【要約】【課題】遮光部材による不要光の入射防止を確実に行う。【解決手段】鏡筒本体１０と、鏡筒本体１０内に回動自在に保持された絞り５１と、絞り５１の径を操作する絞り操作部材５２と、鏡筒本体１０に回動可能に形成され、絞り操作部材５２と嵌合し、回動操作されることにより絞り操作部材５２を介して絞り５１の径を操作する操作アーム７５と、操作アーム７５が挿通する挿通部６２と絞り操作部材５２に突設された係合片５７が係合する係合部６３とを有し、絞り操作部材５２とともに回動可能に支持され、鏡筒本体１０内に入射する不要光線を遮光する遮光板６０とを備え、挿通部６２は、操作アーム７５と略同一幅に開口されている。【選択図】図８ｂ
2010020182.tif 000002
【特許請求の範囲】
【請求項１】
鏡筒本体と、
上記鏡筒本体内に回動自在に保持された絞りと、
上記絞りの径を操作する絞り操作部材と、
上記鏡筒本体に回動可能に形成され、上記絞り操作部材と嵌合し、回動操作されることにより上記絞り操作部材を介して上記絞りの径を操作する操作アームと、
上記操作アームが挿通する挿通部と上記絞り操作部材に突設された係合片が係合する係合部とを有し、上記絞り操作部材とともに回動可能に支持され、上記鏡筒本体内に入射する不要光線を遮光する遮光板とを備え、
上記挿通部は、上記操作アームと略同一幅に開口されているレンズ鏡筒。
【請求項２】
上記遮光板及び上記絞り操作部材は、光軸方向に移動可能に支持された移動枠に取り付けられ、
上記遮光板は、上記操作アームとの係合が外れる領域まで移動可能とされている請求項１記載のレンズ鏡筒。
【請求項３】
装置本体とレンズ鏡筒とを備え、
上記レンズ鏡筒は、
鏡筒本体と、
上記鏡筒本体内に回動自在に保持された絞りと、
上記絞りの径を操作する絞り操作部材と、
上記鏡筒本体に回動可能に形成され、上記絞り操作部材と嵌合し、回動操作されることにより上記絞り操作部材を介して上記絞りの径を操作する操作アームと、
上記操作アームが挿通する挿通部と上記絞り操作部材に突設された係合片が係合する係合部とを有し、上記絞り操作部材とともに回動可能に支持され、上記鏡筒本体内に入射する不要光線を遮光する遮光板とを備え、
上記挿通部は、上記操作アームと略同一幅に開口されている撮像装置。
【発明の詳細な説明】
【技術分野】
【０００１】
本発明は、ズームレンズ等のレンズ鏡筒に関し、特にレンズ鏡筒のフレアやゴーストを防止する遮光板を備えたレンズ鏡筒に関する。
【背景技術】
【０００２】
従来より、鏡筒内に入射した不要光によるフレアやゴーストの発生を防止するために、ズームレンズの動きに伴って鏡筒内を移動する遮光板を備えたレンズ鏡筒用いられている。この種のレンズ鏡筒では、光軸方向に移動する可動レンズ群及び可動遮光板とを備え、可動レンズ群の移動位置に応じた所定位置に可動遮光板を移動させることにより、フレアやゴーストを防止する（例えば、特許文献１及び特許文献２）。
【０００３】
また、可動遮光板の開口径を可変とし、可動レンズ群との相対位置を変化させながら、遮光板の開口径を調整し、可動レンズ群がワイドポジションとテレポジションとの間のいずれの位置に移動された場合にもフレアやゴーストを防止できるレンズ鏡筒も提案されている（例えば、特許文献３及び特許文献４）。
【０００４】
このような開口径の可変動作を行うことができる可動遮光板は、一般にレンズ鏡筒内において、複数の遮光羽根を一部重畳させるとともに光軸方向と直交する方向に回動可能に支持されている。レンズ鏡筒には、これら複数の遮光羽根を回動操作する操作機構が形成され、この操作機構が、ユーザによるマニュアル操作あるいは撮像装置あるいはレンズ鏡筒内に配設されたマイコン等による自動操作によって駆動される。
【０００５】
ところで、可動遮光板の開口径を可変する可変操作を自動操作により行う構成を考えた場合、操作機構や操作機構に駆動力を付与する駆動源をレンズ鏡筒内に組み込むと、レンズ鏡筒の大型化や重量化を招く。レンズ鏡筒が大型化、重量化すると、撮像装置全体のバランスが悪く、また交換レンズとして用いるレンズ鏡筒においては、携帯性を損なう。したがって、操作機構や駆動源は、カメラボディ側に備えることが、レンズ鏡筒の小型化、軽量化を実現する上で望ましい。
【０００６】
一方で、カメラボディ側から遮光羽根の開口径を操作しようとすると、遮光羽根の回動操作を行う操作部材がレンズ鏡筒内に延長されることとなり、かかる操作部材の回動領域には遮光羽根を配設することができず、不要光の入射を防止しきれないこともある。
【特許文献１】特開平０６−２０１９６６号公報
【特許文献２】特開平０９−３３７８１号公報
【特許文献３】特開平０４−１３３０１１号公報
【特許文献４】特開平０７−２９４８１４号公報
【発明の開示】
【発明が解決しようとする課題】
【０００７】
本発明は、上述した課題に対応すべく、遮光部材を操作する操作部材がレンズ鏡筒内に延長された場合にも、遮光部材による不要光の入射防止を確実に行うことができるレンズ鏡筒及びこのレンズ鏡筒を用いた撮像装置を提供することを目的とする。
【課題を解決するための手段】
【０００８】
上述した課題を解決するために、本発明にかかるレンズ鏡筒は、鏡筒本体と、上記鏡筒本体内に回動自在に保持された絞りと、上記絞りの径を操作する絞り操作部材と、上記鏡筒本体に回動可能に形成され、上記絞り操作部材と嵌合し、回動操作されることにより上記絞り操作部材を介して上記絞りの径を操作する操作アームと、上記操作アームが挿通する挿通部と上記絞り操作部材に突設された係合片が係合する係合部とを有し、上記絞り操作部材とともに回動可能に支持され、上記鏡筒本体内に入射する不要光線を遮光する遮光板とを備え、上記挿通部は、上記操作アームと略同一幅に開口されている。
【０００９】
また、本発明にかかる撮像装置は、装置本体とレンズ鏡筒とを備え、上記レンズ鏡筒は、鏡筒本体と、上記鏡筒本体内に回動自在に保持された絞りと、上記絞りの径を操作する絞り操作部材と、上記鏡筒本体に回動可能に形成され、上記絞り操作部材と嵌合し、回動操作されることにより上記絞り操作部材を介して上記絞りの径を操作する操作アームと、上記操作アームが挿通する挿通部と上記絞り操作部材に突設された係合片が係合する係合部とを有し、上記絞り操作部材とともに回動可能に支持され、上記鏡筒本体内に入射する不要光線を遮光する遮光板とを備え、上記挿通部は、上記操作アームと略同一幅に開口されている。
【発明の効果】
【００１０】
本発明にかかるレンズ鏡筒及び撮像装置によれば、操作アームが挿通するとともに、係合部に係合片が挿通されることにより、遮光板は、操作アームによって絞り操作部材が回転操作されると、係合片及び操作アームによって絞り操作部材と同方向へ回転される。したがって、遮光板は、操作アームを挿通させるのに必要な最小幅だけ開口された挿通部を設ければよく、操作アームの回動領域に亘って開口させる必要がない。したがって、遮光板は、より多くの不要光の入射を防止することができ、ゴーストやフレアの発生を確実に防止することができる。
【発明を実施するための最良の形態】
【００１１】
以下、本発明が適用されたレンズ鏡筒及び撮像装置について、図面を参照しながら詳細に説明する。本発明が適用された撮像装置１は、図１及び図２に示すように、カメラボディ２と、交換レンズ３とを備える。
【００１２】
交換レンズ３は、複数の環状体が組み付けられることにより全体を略円筒形状に形成された鏡筒本体１０を有する。図３及び図４に示すように、鏡筒本体１０は、長手方向の前面側にフォーカスレンズ群及びフォーカスレンズ群を光軸方向へ移動させるフォーカスレンズ移動機構を備えたフォーカスレンズブロック５が形成されている。また、鏡筒本体１０は、長手方向の背面側にズームレンズ群及び絞りユニットが一体化された可動ブロック３０と、可動ブロック３０を光軸方向へ移動させるズームレンズ移動機構を備えたズームレンズブロック６が形成されている。鏡筒本体１０は、フォーカスレンズ移動機構によってフォーカスレンズ群が送り操作されることによりフォーカス動作を行い、またズームレンズ移動機構によってズームレンズ群及びフォーカスレンズ群が送り操作されることによりズーム動作を行っている。
【００１３】
また、鏡筒本体１０は、背面にカメラボディ２に取り付けられるレンズマウントとなるマウント７１と、各種駆動回路が形成された基板７２を備えたマウントブロック７が形成され、カメラボディ２に対して着脱自在とされている。なお、撮像装置１のマウント７１は、いわゆるバイヨネット式のレンズマウントが採用されている。
【００１４】
先ず、鏡筒本体１０の前面側に設けられたフォーカスレンズブロック５について説明する。図４に示すように、フォーカスレンズブロック５は、複数のフォーカスレンズ１１ａ，１１ｂ及び１１ｃと、これら複数のフォーカスレンズ１１ａ〜１１ｃを、各光軸を一致させて保持するフォーカスレンズ保持枠１２と、フォーカスレンズ保持枠１２を鏡筒本体１０の前後方向へ送り出すフォーカスレンズ移動機構１３とを備える。
【００１５】
フォーカスレンズ保持枠１２は、鏡筒本体１０の前端部を構成するものであり、内部に複数のフォーカスレンズ１１ａ〜１１ｃを保持するとともに、フォーカスレンズ移動機構１３を構成するフォーカス操作環１６にビス止めされている。また、フォーカスレンズ保持枠１２は、外周部にフォーカスリング１５が嵌合されている。フォーカスリング１５は、ユーザが手動でフォーカス制御を行う場合に使用されるもので、操作性を高めるために全周に亘ってローレット加工が施されている。
【００１６】
フォーカスレンズ保持枠１２に保持されたフォーカスレンズ１１を光軸方向に沿って移動させるフォーカスレンズ移動機構１３は、フォーカスレンズ保持枠１２が取り付けられるフォーカス操作環１６と、フォーカス操作環１６の内側に係合するフォーカス作動環１７と、フォーカス操作環１６へ駆動力を付与するオートフォーカスモータ１８（図５参照）と、オートフォーカスモータ１８の駆動力をフォーカス操作環１６へ伝達するフォーカス用伝達環１９とを有する。
【００１７】
フォーカス操作環１６は、略円筒形状をなし、後述するズーム操作環３７の前面開口３７ａより進退可能に支持されている。また、フォーカス操作環１６は、内周面に螺旋状の溝が形成され、外周面に同様の螺旋状の溝が形成されているフォーカス作動環１７との間にヘリコイド部２０が形成されている。したがって、フォーカス操作環１６は、ヘリコイド部２０に沿って、移動可能とされ、これによりフォーカスレンズ１１を光軸方向に沿って移動させることができる。
【００１８】
フォーカス作動環１７は、略円筒形状をなし、外周面に上述したヘリコイド部２０を構成する螺旋状溝が形成され、内周面に、後述するカム環３６の外周面に形成されたカムフォロア（図示せず）と係合するカム部２２が周回方向に沿って所定間隔毎に複数突設されている。また、フォーカス作動環１７は、内周面に、後述する固定環３５の外周に形成された直進ガイド溝（図示せず）に係合される図示しないガイドリブが周回方向に沿って所定間隔毎に複数突設されている。かかるフォーカス作動環１７は、ズーム操作においてカム環３６が回転されると、固定環３５の直進ガイド溝に沿って移動され、カム環３６のカムフォロアとカム部２２との係合位置に応じて移動位置が決まる。また、フォーカス作動環１７は、フォーカス操作においては、ヘリコイド部２０を介してフォーカス操作環１６を前後に送り出す固定部となる。
【００１９】
フォーカス操作環１６に駆動力を付与するオートフォーカスモータ１８は、後述するマウント７１に取り付けられている。オートフォーカスモータ１８は、減速ギヤ列２３及びフォーカス用伝達環１９を介してフォーカス操作環１６と連結され、マウント７１の基板７２に設けられた制御部を構成するマイコン９５により駆動が制御される。
【００２０】
フォーカス用伝達環１９は、略円筒形状をなし、後述するマウント固定部材７０の内周にバイヨネット結合され、回転自在に支持されている。またフォーカス用伝達環１９は、減速ギヤ列２３及びフォーカス操作環１６と連結され、オートフォーカスモータ１８が駆動されると、減速ギヤ列２３によって回転されるとともに、フォーカス操作環１６に回転力を伝達する。フォーカス用伝達環１９より駆動力が伝達されたフォーカス操作環１６は、フォーカス作動環１７の外周面に形成されたヘリコイド部２０に沿って送り出される。これによりフォーカスレンズ移動機構１３は、フォーカスレンズ１１を適切な位置へ移動させて、フォーカス動作を行うことができる。
【００２１】
次いで、鏡筒本体１０の背面側に設けられたズームレンズブロック６について説明する。図４及び図５に示すように、ズームレンズブロック６は、複数のズームレンズ２５ａ、２５ｂ及び２５ｃと、複数のズームレンズ２５ａ〜２５ｃを、各光軸を一致させて保持する複数のズームレンズ保持枠２６ａ、２６ｂ及び２６ｃと、各ズームレンズ保持枠２６ａ〜２６ｃが取り付けられるズーム作動環２７と、ズーム作動環２７を鏡筒本体１０の前後方向に移動させてズーム動作を行うズームレンズ移動機構２８とを備える。ズームレンズ２５ａ〜２５ｃ、レンズ保持枠２６ａ〜２６ｃは、後述する絞りユニット５０及び遮光板６０とともにズーム作動環２７に取り付けられることにより一体化され、図６ａ及び図６ｂに示すように、ズームレンズ移動機構２８によって光軸方向に移動される可動ブロック３０を構成する。
【００２２】
第１のズームレンズ保持枠２６ａは、第１のズームレンズ２５ａを保持するものであり、ズーム作動環２７の前面側に絞りユニット５０を介してビス等によって固着されている。また、第１のズームレンズ保持枠２６ａは、鏡筒本体１０の前面側に、後述する遮光板６０が装着する装着部２９が突出されている。装着部２９には、遮光板６０を係止する係止凸部２９ａが所定間隔毎に例えば３つ形成されている。
【００２３】
第２のレンズ保持枠２６ｂは、第２のズームレンズ２５ｂを保持するものであり、ズーム作動環２７の前面に嵌合され、ビス等によって固着されている。第３のレンズ保持枠２６ｃは、第３のズームレンズ２５ｃを保持するものであり、ズーム作動環２７の背面にビス等によって固着されている。
【００２４】
ズーム作動環２７は、ズームレンズ２５、ズームレンズ保持枠２６及び絞りユニット５０が取り付けられるとともに、ズームレンズ移動機構２８によって移動操作されるものであり、外周部にズームレンズ移動機構２８のカム環３６に係合するカムフォロア３１が所定間隔毎に例えば３つ形成されている。ズーム作動環２７は、カム環３６が回転されることにより、カム環３６に形成されたカム凸部４０と係合するカムフォロア３１がカム凸部４０に沿って移動される。また、ズーム作動環２７は、外周部に、固定環３５の内周面に形成されたガイド突条３９にガイドされるガイド片３２が形成されている。ガイド片３２は、ガイド突条３９に摺動可能に係止する上下一対の係止片を有し、ズーム作動環２７の外周部に所定間隔毎に例えば３つ形成されている。
【００２５】
かかる可動ブロック３０は、ズーム作動環２７のカムフォロア３１がカム環３６のカム凸部４０に係合するとともに、ガイド片３２が固定環３５のガイド突条３９に係止されることにより鏡筒本体１０内において位置決めされ、カム環３６が回転されることによりガイド突条３９にガイドされながら移動される。
【００２６】
可動ブロック３０を移動させることによりズーム動作を行うズームレンズ移動機構２８は、図４に示すように、固定環３５と、固定環３５の外周に回転可能に嵌合され、ズーム作動環２７を摺動自在に支持するカム環３６と、カム環３６の外側に回転可能に設けられるズーム操作環３７とを備える。
【００２７】
固定環３５は、マウントブロック７が固定されるマウント固定部材７０に取り付けられることにより、カム環３６及びズーム操作環３７の回転を支える固定部となるものであり、円筒形状の外周面にカム環３６が嵌合されている。また、固定環３５は、内周面に可動ブロック３０の移動をガイドするガイド突条３９が周回方向に亘って所定間隔毎に例えば３つ形成されている。なお、固定環３５は、外周面に上述したフォーカス作動環１７のガイドリブが係合する図示しない直進ガイド溝が形成されている。
【００２８】
カム環３６は、ズーム操作環３７の回転に連動することにより可動ブロック３０を固定環３５のガイド突条３９にそって移動させるものである。カム環３６は、固定環３５にバイヨネット係合されることにより、固定環３５に対する前後方向の位置が規定された状態で回転可能に嵌合されている。また、カム環３６は、内周面にズーム作動環２７の外周部に形成されたカムフォロア３１と係合するカム凸部４０が形成されている。カム凸部４０は、カム環３６の周回方向に亘って所定間隔毎に例えば３つ形成されている。
【００２９】
そして、カム環３６は、ズーム操作環３７の回転操作に連動して固定環３５の外周を回転されると、カム凸部４０によってズーム作動環２７を前後に移動させる。また、カム環３６は、上述したフォーカス作動環１７のカム部２２と係合する図示しないカムフォロアが形成され、ズーム操作環３７の回転操作に連動して回転されると、フォーカス作動環１７を前後方向へ移動させる。このとき、フォーカス作動環１７は、ガイドリブが固定環３５に形成された直進ガイド溝にガイドされながら前後に移動される。
【００３０】
カム環３６の外側に設けられるズーム操作環３７は、鏡筒本体１０の略中間部を構成するものであり、略円筒形状をなし、回転可能に支持されている。また、ズーム操作環３７は、前面開口３７ａからフォーカス操作環１６が進退される。ズーム操作環３７は、詳細を省略する伝達機構を介してカム環３６と連結されており、回転操作されることによりカム環３６に回転力を伝達する。また、ズーム操作環３７は、外周部にズームリング４１が嵌合されている。ズームリング４１は、ユーザが手動でズーム制御を行う場合に使用されるもので、操作性を高めるために全周に亘ってローレット加工が施されている。
【００３１】
次いで、レンズ保持枠２６とともにズーム作動環２７に取り付けられる絞りユニット５０について説明する。図５及び図７に示すように、絞りユニット５０は、開口径に応じて入射光量を増減させる複数の絞り羽根５１と、絞り羽根５１を回動させる絞り操作板５２と、絞り羽根５１を絞り操作板５２とともに回動自在に支持する押さえ板５３とを有する。絞りユニット５０は、絞り操作板５２が押さえ板５３に対して回転自在に取り付けられており、絞り操作板５２がマウント７１に支持された絞り操作リング７３の操作アーム７５によって回転されることにより、絞り羽根５１を回動させて開口径を調整する。
【００３２】
絞り羽根５１は、鏡筒本体１０内に入射した光を遮る遮光面部を有し、遮光面部の一端に押さえ板５３に回動支持される支持凸部と絞り操作板５２の回動ガイド溝に係合するガイドピンとが立設されている。かかる、絞り羽根５１は、絞り操作板５２と押さえ板５３とに挟持されることにより、遮光面部を重畳させて支持され、回動角に応じて拡径、縮径が自在な開口を形成する。そして、絞り羽根５１は、絞り操作板５２の回転操作に応じてガイドピンがガイド溝にガイドされ、支持凸部を支軸として回動される。
【００３３】
絞り操作板５２は、中央に光入射孔５２ａが開口された円板形状をなし、主面に絞り羽根５１のガイドピンが係合するガイド溝５４が複数形成されている。絞り操作板５２は、ガイド溝５４に沿って絞り羽根５１を回動させることにより、光入射孔５２ａの開口径が調整される。また、絞り操作板５２は、外周面に、押さえ板５３の係止ピン５８に係止される係止縁部５５が形成されている。絞り操作板５２は、係止縁部５５に係止ピン５８の先端が係止されることにより、押さえ板５３に回転自在に取り付けられている。さらに、絞り操作板５２は、外周面の一部に絞り操作リング７３の操作アーム７５が挿通する挿通部５６が形成されている。挿通部５６は、操作アーム７５の幅と略同一幅だけ離間して相対向する一対の支持壁５６ａ，５６ａが立設され、操作アーム７５が回転されると、同方向に絞り操作板５２を回転させる。また、挿通部５６は、可動ブロック３０が光軸方向へ移動されることにより、操作アーム７５が支持壁５６ａ，５６ａ間を相対移動する。
【００３４】
また絞り操作板５２は、後述する遮光板６０に開口された係合孔６３に挿通係合する係合片５７が形成されている。係合片５７は、可動ブロック３０が鏡筒本体１０の前面側に移動された場合において、第１のレンズ保持枠２６ａの装着部２９に嵌合されている遮光板６０の脱落を防止するものであり、絞り操作板５２の外周の一部より鏡筒本体１０の前面側に突出形成されて、遮光板６０の係合孔６３に挿通されている。
【００３５】
すなわち、可動ブロック３０は、広角側となる鏡筒本体１０の背面側に移動されている場合は、図８ａに示すように、遮光板６０と操作アーム７５との係合が維持されている。そして可動ブロック３０は、望遠側となる鏡筒本体１０の前端に移動されると、図８ｂに示すように、それまで係合していた操作アーム７５が遮光板６０から外れてしまう。しかし、可動ブロック３０は、この場合にも、絞り操作板５２の係合片５７と遮光板６０の係合孔６３との係合は維持されているため、遮光板６０の可動ブロック３０からの脱落を防止することができる。
【００３６】
この係合片５７は、先端に鉤状部５７ａが膨出形成されている。これにより、係合片５７は、係合孔６３からの抜け止めが図られている。なお、係合片５７は、絞り操作板５２に１つだけ形成され、遮光板６０の係合孔６３も１つだけ開口されている。したがって、交換レンズ３は、遮光板６０に形成される開口部を必要最低限に抑え、不要光の入射を抑制することができる。
【００３７】
絞り操作板５２とともに絞り羽根５１を挟持する押さえ板５３は、中央部が開口された円板形状をなし、主面に絞り羽根５１の支持凸部が回動可能に係合する支持孔が絞り羽根５１の数に応じて形成されている。また、押さえ板５３は、外周面に、絞り操作板５２の係止縁部５５に摺動可能に係止する係止ピン５８が形成されている。係止ピン５８は、押さえ板５３の外周面に例えば３つ形成され、これに対応して形成されている絞り操作板５２の係止縁部５５に係止される。また、係止ピン５８は、先端が内側に突出することにより係止縁部５５上に係止する係止部が形成されている。絞りユニット５０は、押さえ板５３に対して絞り操作板５２が回転すると、係止縁部５５が係止部を摺動する。
【００３８】
次いで、可動ブロック３０に取り付けられる遮光板６０について説明する。遮光板６０は、鏡筒本体１０内の不要光がカメラボディ２側へ入射するのを防止するものであり、固定環と略同一径の円板形状をなす。また、遮光板６０は、中央に、第１のズームレンズ保持枠２６ａの装着部２９に挿通される開口６１が形成されている。開口６１は、装着部２９の外径と略同一径を有し、不要光の入射を防止しつつ、装着部２９の外周面との摩擦などによるストレスが発生することなく回転可能に装着される。この開口６１には、装着部２９の外周に形成された係止凸部２９ａが挿通する凹部６１ａが、係止凸部２９ａに対応して例えば３つ形成されている。遮光板６０は、凹部６１ａより係止凸部２９ａが挿通されることにより装着部２９に装着される。
【００３９】
また、遮光板６０は、外周の一部に後述する絞り操作リング７３の操作アーム７５が挿通する切欠き部６２が形成されている。切欠き部６２は、操作アーム７５の幅と略同一幅を有し、不要光の入射を防止しつつ、可動ブロック３０の移動時には操作アーム７５との摩擦などによるストレスが発生しないように形成されている。
【００４０】
また、遮光板６０は、絞りユニット５０の絞り操作板５２に突設された係合片５７が挿通係合する係合孔６３が形成されている。係合孔６３は、係合片５７が挿通するために必要な大きさを有し、かつ不要光の入射を防止できる大きさを有し、また係合片５７の先端に形成された鉤状部５７ａに係止されている。
【００４１】
このように、切欠き部６２に操作アーム７５が挿通するとともに、係合孔６３に係合片５７が挿通されることにより、遮光板６０は、操作アーム７５によって絞り操作板５２が回転操作されると、係合片５７及び操作アーム７５によって絞り操作板５２と同方向へ回転される。したがって、遮光板６０は、操作アーム７５を挿通させるのに必要な最小幅だけ開口された切欠き部６２を設ければよく、操作アーム７５の回動領域に亘って開口させる必要がない。したがって、遮光板６０は、より多くの不要光の入射を防止することができ、ゴーストやフレアの発生を確実に防止することができる。
【００４２】
また、図８ｂに示すように、遮光板６０は、可動ブロック３０が望遠側となる鏡筒本体１０の前端に移動されたときにも、係合片５７との係合は維持されるため、装着部２９からの脱落が防止されている。
【００４３】
また、遮光板６０は、可動ブロック３０が望遠側となる鏡筒本体１０の前端に移動された場合以外には、操作アーム７５と係合片５７とによって係合されているため、剛性の高い材料でなくとも装着部２９の回転や操作アーム７５の摺動性を確保することができ、材料選択の幅も広い。また、遮光板６０は、剛性を確保するために厚く形成する必要がなく、薄型化、軽量化を図ることができる。
【００４４】
次いで、絞りユニット５０の絞り操作板５２を回転させる絞り操作リング７３が設けられたマウントブロック７について説明する。図９及び図１０に示すように、マウントブロック７は、固定環３５に取り付けられるマウント固定部材７０と、カメラボディ２に装着されるマウント７１と、各種駆動回路やコネクタが実装される基板７２と、絞りユニット５０の絞り操作板５２を操作する絞り操作リング７３とを備える。そして、マウントブロック７は、マウント固定部材７０にマウント７１が取り付けられることにより鏡筒本体１０と一体化される。また、マウント７１には基板７２及び絞り操作リング７３が取り付けられている。
【００４５】
先ず、上述した絞りユニット５０の絞り操作板５２を操作する絞り操作リング７３について説明する。図１０及び図１１に示すように、絞り操作リング７３は、金属製の環状部材であり、内周の一部に、絞り操作板５２を回転させる操作アーム７５が取り付けられる操作アーム取付部７６と、絞り操作リング７３を一方向へ回転付勢するコイルバネ７７の一端が係止されるバネ係止部７８が形成されている。そして、絞り操作リング７３は、マウント７１の一面７１ａに設けられた支持凹部８４に嵌合されることにより、支持凹部８４の側壁に沿って回転自在に支持されている。
【００４６】
操作アーム７５は、固定環３５内に挿通されることにより絞り操作板５２の挿通部５６に挿通されるアーム部７５ａと、絞り操作リング７３の操作アーム取付部７６に取り付けられる基端部７５ｂと、カメラボディ２側に設けられた絞り駆動レバー７９と連結される連結片７５ｃとを有する（図９参照）。操作アーム７５は、基端部７５ｂが操作アーム取付部７６に取り付けられることにより絞り操作リング７３と一体とされ、またアーム部７５ａが固定環３５内を挿通して絞り操作板５２の挿通部５６及び遮光板６０の切欠き部６２を挿通する。これにより、操作アーム７５は、絞り操作リング７３の回転に従ってアーム部７５ａが固定環３５内を周回方向に回転され、絞り操作板５２及び遮光板６０を一体に回転させることができる。
【００４７】
また、アーム部７５ａは、可動ブロック３０が望遠側となる鏡筒本体１０の前面側に移動された場合にも、絞り操作板５２の挿通部５６との係合が外れない長さを有する（図８ａ）。したがって、操作アーム７５は、可動ブロック３０の可動領域の全範囲において絞り操作板５２を回転させることができる。
【００４８】
なお、アーム部７５ａは、可動ブロック３０が望遠側となる鏡筒本体１０の前端に移動されると、遮光板６０の切欠き部６２から外れる（図８ｂ）。この場合にも遮光板６０は絞り操作板５２の係合片５７が係合孔６３に係合しているため、操作アーム７５の回転に応じて絞り操作板５２及び遮光板６０は回転されることから、アーム部７５ａと切欠き部６２との相対位置に変動はなく、再度、切欠き部６２への挿通は可能とされている。また、このとき、遮光板６０は、係合孔６３に係合片５７が挿通係合しているため、第１のズームレンズ保持枠２６ａの装着部２９から脱落することもない。
【００４９】
絞り操作リング７３のバネ係止部７８に係止されるコイルバネ７７は、一端をバネ係止部７８に係止され、他端をマウント７１に係止されることにより、常時、絞り操作リング７３を絞り羽根５１の縮径方向へ付勢している。
【００５０】
図２に示すように、絞り操作リング７３は、操作アーム７５の連結片７５ｃがカメラボディ２に設けられた絞り駆動レバー７９と連結され、同じくカメラボディ２内に設けられた絞りアクチュエータ８０の駆動力を受けた絞り駆動レバー７９によって連結片７５ｃが駆動される。これにより、絞り操作リング７３は、コイルバネ７７の付勢力に対抗してマウント７１を回転し、絞り羽根５１の開口径を調整することができる。
【００５１】
次いで、絞り操作リング７３が嵌合されるマウント７１について説明する。マウント７１は、中央に可動ブロック３０が挿通される円形の開口部が形成された略円板状の部材である。マウント７１は、鏡筒本体１０内に臨まされる一面７１ａに絞り操作リング７３及び基板７２が装着され、カメラボディ２に取り付けられる他面７１ｂにバイヨネット式の差し込み爪が形成されている。
【００５２】
マウント７１は、外周部７４にマウント固定部材７０の取付部８１に取り付けられる取付孔８２が形成されている。取付孔８２は、マウント７１の外周部７４に所定間隔毎に例えば３つ形成されている。また、マウント７１の一面７１ａは、取付孔８２の周囲に取付部８１を支持する支持壁８３が突設されている。支持壁８３は、取付部８１の形状に応じて円弧状に形成され、また、マウント７１の内周側に設けられている。マウント７１は、取付孔８２とマウント固定部材７０の取付部８１とを連続させた後、止めビス８７が他面７１ｂ側から挿通されることにより、マウント固定部材７０に取り付けられる。
【００５３】
また、マウント７１の一面７１ａは、内周側に上述した絞り操作リング７３が嵌合される支持凹部８４が形成されている。支持凹部８４は、絞り操作リング７３の外径と略同一の径を有する円形をなし、側面によって絞り操作リング７３の回動をガイドする。絞り操作リング７３は、支持凹部８４に嵌合されることによりマウント７１の外周部７４と略面一とされる。
【００５４】
また、支持凹部８４は、絞り操作リング７３の抜け止めを図る係止爪８５が張り出し形成されている。係止爪８５は、取付孔８２の周囲に立設されている支持壁８３から、マウント７１の内側に向かって形成され、これにより円板状に形成されたマウント７１の外周部７４上に、取付孔８２及び支持壁８３と放射状に連続されている。絞り操作リング７３は、係止爪８５に対応する切欠き部８６が形成され、この切欠き部８６を係止爪８５に合わせることにより支持凹部８４に嵌合される。そして、絞り操作リング７３は、マウント７１の外周部７４上に突設された係止爪８５によって光軸方向に対する位置決めがなされている。
【００５５】
支持凹部８４のさらに内周側には、コイルバネ７７が配設される円形凹部８８が形成されている。円形凹部８８は、コイルバネ７７が伸張された状態で係止される係止壁８９がマウント７１の中央に形成された円形開口に沿って円弧状に立設されている。また円形凹部８８は、係止壁８９の一端側に、コイルバネ７７の他端が係止される係止凸部９０が立設されている。
【００５６】
そして、円形凹部８８は、支持凹部８４に嵌合された絞り操作リング７３のバネ係止部７８が係止壁８９の他端側に位置され、一端をバネ係止部７８に係止させたコイルバネ７７が係止壁８９に沿って伸張され他端を係止凸部９０に係止させることにより配設されている。これにより、絞り操作リング７３は、コイルバネ７７によって一方に回動付勢され、絞り羽根５１による開口を絞る方向に絞り操作板５２を回動付勢する。
【００５７】
次いで、マウント７１の一面７１ａに取り付けられる基板７２について説明する。基板７２は、鏡筒本体１０の各部を制御する制御回路が構成され、マウント７１の外径と略同一の径を有する略Ｃ字状に形成されている。そして、図１０に示すように、基板７２は、マウント７１の外周部７４上にビス等により取り付けられている。
【００５８】
基板７２は、外周部７４に取り付けられたとき、外周部７４上に形成された取付孔８２、支持壁８３及び係止爪８５との干渉を避ける回避部９１が形成されている。回避部９１は、取付孔８２、支持壁８３及び係止爪８５の形成箇所と基板７２の外周部７４上の取付箇所とが干渉する位置、本実施例においては基板７２の周回方向の略中間及び周回方向の一端部に形成されている。基板７２の周回方向の略中間に形成された第１の回避部９１ａは、放射状に連続して形成されている取付孔８２、支持壁８３及び係止爪８５を囲むように、外側が開放された矩形状に形成されている。また、基板７２の周回方向の一端部に形成された第２の回避部９１ｂは、取付孔８２、支持壁８３及び係止爪８５の左側面から内周側にかけて略Ｌ字状に形成されている。
【００５９】
このように、マウント７１の外周部７４上に形成された取付孔８２、支持壁８３及び係止爪８５との干渉を回避する回避部９１を設けることにより、基板７２は、これら取付孔８２、支持壁８３及び係止爪８５が形成されたマウント７１の外周部７４上に取り付けることができる。したがって、マウントブロック７は、絞り操作リング７３を光軸方向に係止する係止爪８５の高さを基板７２によって吸収することができ、係止爪８５と基板７２とを重畳させて支持する構成に比して光軸方向に対する小型化を図ることができる。このとき、基板７２は、絞り操作リング７３を光軸方向に位置決めする係止爪８５と、光軸方向に略同一高さに配設されることとなるため、マウント７１とマウント固定部材７０との取り付けにおいて、基板７２や係止爪８５がマウント固定部材７０に対して障害となることもない。
【００６０】
また、基板７２は、マウント７１の外周部７４上に係止爪８５と取付孔８２とが近接して配設され、一つの回避部９１で退避することができる。したがって、基板７２は、分散して形成された取付孔８２や係止爪８５の形成箇所に応じて回避部９１を数多く設ける必要がなく、また係止爪８５と取付孔８２とが近接されているため大きく形成する必要もないため、スペースを効率よく活用することができ、鏡筒本体１０の各部を制御する制御回路の形成領域を大きく確保することができる。
【００６１】
さらに、マウント７１の外周部７４上に取付孔８２、支持壁８３及び係止爪８５が放射状に連続して形成されているため、基板７２は、取付孔８２、支持壁８３及び係止爪８５との干渉を放射状に回避するように回避部９１を形成することができる。このため、図１２に示すように、基板７２は、第１の回避部９１ａを介して周回方向の一端側と他端側の領域を広く確保することができ、例えば、第１の回避部９１ａを介して周回方向の一端側をカメラボディ２側との電気的な接続を図る接続ピン９４の形成領域Ｒ１とし、第１の回避部９１ａを介して周回方向の他端側を主にマイコン９５やモータドライバ９６、コネクタ９７等の電子部品等が実装される制御回路の形成領域Ｒ２として活用することができる。このように、基板７２は、面積を有効に活用することで制御回路の形成領域を大きく確保することにより、外周部７４上の全領域に亘って設けられる必要がない。したがって、マウント７１は、外周部７４上の基板が設けられていない領域Ｒ３をフォーカスレンズ移動機構１３を構成するオートフォーカスモータ１８及び減速ギヤ列２３の実装領域として活用することができる。
【００６２】
なお、図５に示すように、オートフォーカスモータ１８及び減速ギヤ列２３は、フォーカス用伝達環１９へ駆動力を付与する一つの駆動ユニットを構成し、マウント７１の外周部７４上の領域Ｒ３にビス等により取り付けられている。また、この駆動ユニットには、ユーザがマニュアルでフォーカス制御を行うマニュアルフォーカスモードと、自動的にフォーカス制御を行うオートフォーカスモードとを切り換えるモード切替スイッチ９８が組み付けられている。
【図面の簡単な説明】
【００６３】
【図１】本発明が適用された撮像装置を示す外観斜視図である。
【図２】本発明が適用された撮像装置を示す概略構成図である。
【図３】交換レンズの外観斜視図である。
【図４】交換レンズの断面図である。
【図５】ズームレンズブロック及びマウントブロックの分解斜視図である。
【図６ａ】可動ブロックを前面側から示す斜視図である。
【図６ｂ】可動ブロックを背面側から示す斜視図である。
【図７】遮光板が装着された絞りユニットを背面側から示す斜視図である。
【図８ａ】可動ブロックが広角側に移動された鏡筒本体内を示す斜視図である。
【図８ｂ】可動ブロックが望遠側に移動された鏡筒本体内を示す斜視図である。
【図９】マウントブロックを鏡筒本体の背面側から示す分解斜視図である。
【図１０】マウントブロックを示す斜視図である。
【図１１】絞り操作リングが装着されたマウントを一面側から示す斜視図である。
【図１２】マウントを一面側から示す平面図である。
【符号の説明】
【００６４】
１  撮像装置、２  カメラボディ、３  交換レンズ、５  フォーカスレンズブロック、６  ズームレンズブロック、７  マウントブロック、１０  鏡筒本体、１１  フォーカスレンズ、１２  フォーカスレンズ保持枠、１３  フォーカスレンズ移動機構、１６  フォーカス操作環、１７  フォーカス作動環、１８  オートフォーカスモータ、１９  フォーカス用伝達環、２０  ヘリコイド部、２２  カム部、２３  減速ギヤ列、２５  ズームレンズ、２６  ズームレンズ保持枠、２７  ズーム作動環、２８  ズームレンズ移動機構、２９  装着部、３０  可動ブロック、３１  カムフォロア、３２  ガイド片、３５  固定環、３６  カム環、３７  ズーム操作環、３９  ガイド突条、４０  カム凸部、５０  絞りユニット、５１  絞り羽根、５２  絞り操作板、５３  押さえ板、５４  ガイド溝、５６  挿通部、５７  係合片、５８  係止ピン、６０  遮光板、６１  開口、６２  切欠き部、６３  係合孔、７０  マウント固定部材、７１  マウント、７２  基板、７３  絞り操作リング、７４  外周部、７５  操作アーム、７６  操作アーム取付部、７７  コイルバネ、７８  バネ係止部、８１  取付部、８２  取付孔、８３  支持壁、８４  支持凹部、８５  係止爪、８６  切欠き部、８７  止めビス、９１  回避部、９４  接続ピン、９５  マイコン、９６  モータドライバ、９７  コネクタ
【図１】
2010020182.tif 000003
【図２】
2010020182.tif 000004
【図３】
2010020182.tif 000005
【図４】
2010020182.tif 000006
【図５】
2010020182.tif 000007
【図６ａ】
2010020182.tif 000008
【図６ｂ】
2010020182.tif 000009
【図７】
2010020182.tif 000010
【図８ａ】
2010020182.tif 000011
【図８ｂ】
2010020182.tif 000012
【図９】
2010020182.tif 000013
【図１０】
2010020182.tif 000014
【図１１】
2010020182.tif 000015
【図１２】
2010020182.tif 000016